(57)【特許請求の範囲】
【請求項１】
透液性の表面シートと、不透液性の裏面シートと、両面をクレープ紙で包まれると共に前記表面シートと前記裏面シートとの間に介装される吸収体とを備えたペット用吸収性シートにおいて、
シート体である前記表面シート側の前記クレープ紙に形成された水溶性被膜と、
この水溶性被膜上に濡れることで機能を発揮する機能性インクで形成されたｐＨ判別部と
を備えたことを特徴とするペット用吸収性シート。
【請求項２】
透液性の表面シートと、不透液性の裏面シートと、両面をクレープ紙で包まれると共に前記表面シートと前記裏面シートとの間に介装される吸収体とを備えたペット用吸収性シートにおいて、
シート体である前記表面シートに形成された水溶性被膜と、
この水溶性被膜上に濡れることで機能を発揮する機能性インクで形成されたｐＨ判別部と
を備えたことを特徴とするペット用吸収性シート。
【請求項３】
透液性の表面シートと、不透液性の裏面シートと、両面をクレープ紙で包まれると共に前記表面シートと前記裏面シートとの間に介装される吸収体と、前記表面シートと前記吸収体との間に配置される液移送シートとを備えたペット用吸収性シートにおいて
シート体である前記液移送シートに形成された水溶性被膜と、
この水溶性被膜上に濡れることで機能を発揮する機能性インクで形成されたｐＨ判別部と
を備えたことを特徴とするペット用吸収性シート。
【請求項４】
前記水溶性被膜と前記ｐＨ判別部が同一形状であることを特徴とする
請求項１から請求項３のいずれか一項に記載のペット用吸収性シート。
【請求項５】
前記水溶性被膜が、前記シート体の全表面に形成されたことを特徴とする
請求項１から請求項３のいずれか一項に記載のペット用吸収性シート。
【請求項６】
前記水溶性被膜の面積が前記ｐＨ判別部の面積よりも大きく、且つ、前記ｐＨ判別部が前記水溶性被膜の上に形成されることを特徴とする
請求項１から請求項３のいずれか一項に記載のペット用吸収性シート。
【発明の詳細な説明】
【技術分野】
【０００１】
本発明は、ペット用吸収性シートに関する。
【背景技術】
【０００２】
近年室内犬の市場が伸張しており、犬、猫等のペットが排泄した尿等を吸収するためのペット用吸収性シートが普及している。こうしたペット用吸収性シートとしては、透液性の表面シートと、不透液性の裏面シートと、両面をクレープ紙で包まれると共に表面シートと裏面シートとの間に介装される吸収体と、を備える構成が知られている。
【０００３】
ペット用吸水性シートには、排尿と同時に尿のｐＨを判別するために、表面側のシート体（表面シート、表面シート側のクレープ紙、若しくは、表面シートと吸収体間に配置される液移送シート）に尿などで濡れることで機能を発揮すべく特殊な機能性インク（例えば、ｐＨインジケーターを含んだ特殊インク：以下、単にｐＨインクと呼ぶ。）で形成されたｐＨ判別部（図柄、模様など）が施されている。
【０００４】
また、ペット用吸水性シートにおけるｐＨ等を判別するｐＨ判別部に関連する技術として、特許文献１には、ｐＨにより変色する色素をにじみが生じないようにインク化して付着させる体液吸収用当て材に関する技術が、特許文献２には体液成分に応じて呈色反応する健康インジケーターを有するおむつに関する技術がそれぞれ記載されている。
【０００５】
ここで、従来のペット用吸収性シートは、シート体上にｐＨ判別部がｐＨインクにより直接形成される構造になっている。
【先行技術文献】
【特許文献】
【０００６】
【特許文献１】特開２００２−０１１０３８号公報
【特許文献２】特開２００５−１５２２６４号公報
【発明の概要】
【発明が解決しようとする課題】
【０００７】
しかしながら、ｐＨ判別部が形成されるシート体のｐＨは様々であるため、ｐＨ判別部は、直接接触している当該シート体のｐＨの影響を受けて、形成初期の色が変色したり、想定どおりに変色が生じなかったりする場合があった。
このため、シート体のｐＨに合わせてｐＨインク内にｐＨ調整剤を添加して形成初期の色を調整したり、シート体自体のｐＨを所望のｐＨに調整したりすることにより形成初期の色を調整する等の方法が存在するものの、いずれ方法であってもシート体のｐＨを常に考慮する必要性があり、煩雑であり実用的ではないと言った問題点があった。
【０００８】
本発明の課題は、シート体のｐＨの影響を受けることなく、形成後もｐＨ判別部の色を所望の色にできるペット用吸収性シートを提供することにある。
【課題を解決するための手段】
【０００９】
前記課題を解決するために、請求項１記載の発明は、
透液性の表面シートと、不透液性の裏面シートと、両面をクレープ紙で包まれると共に表面シートと裏面シートとの間に介装される吸収体とを備えたペット用吸収性シートにおいて、
シート体である表面シート側のクレープ紙に形成された水溶性被膜と、この水溶性被膜上に濡れることで機能を発揮する機能性インクで形成されたｐＨ判別部とを備えたことを特徴とする。
【００１０】
請求項２記載の発明は、透液性の表面シートと、不透液性の裏面シートと、両面をクレープ紙で包まれると共に表面シートと裏面シートとの間に介装される吸収体とを備えたペット用吸収性シートにおいて、
シート体である表面シートに形成された水溶性被膜と、この水溶性被膜上に濡れることで機能を発揮する機能性インクで形成されたｐＨ判別部とを備えたことを特徴とする。
【００１１】
請求項３記載の発明は、透液性の表面シートと、不透液性の裏面シートと、両面をクレープ紙で包まれると共に表面シートと裏面シートとの間に介装される吸収体と、表面シートと吸収体との間に配置される液移送シートとを備えたペット用吸収性シートにおいて
シート体である液移送シートに形成された水溶性被膜と、この水溶性被膜上に濡れることで機能を発揮する機能性インクで形成されたｐＨ判別部とを備えたことを特徴とする。
【００１２】
請求項４記載の発明は、請求項１から請求項３のいずれか一項に記載のペット用吸収性シートにおいて、水溶性被膜とｐＨ判別部が同一形状であることを特徴とする。
【００１３】
請求項５記載の発明は、請求項１から請求項３のいずれか一項に記載のペット用吸収性シートにおいて、水溶性被膜が、シート体の全表面に形成されたことを特徴とする。
【００１４】
請求項６記載の発明は、請求項１から請求項３のいずれか一項に記載のペット用吸収性シートにおいて、水溶性被膜の面積がｐＨ判別部の面積よりも大きく、且つ、ｐＨ判別部が水溶性被膜の上に形成されることを特徴とする。
【発明の効果】
【００１５】
本発明によれば、機能性インクで形成されたｐＨ判別部とシート体との間に、尿によって溶解する水溶性被膜を形成することにより、機能性インクが直接シート体に触れることがないので、シート体のｐＨの影響を受けることなく、形成後も機能性インクの色を所望の色にすることができる。
【図面の簡単な説明】
【００１６】
【図１】第１実施形態のペット用吸収性シートの一例を示す平面図である。
【図２】図１のII−II断面の一例を示す図である。
【図３】第２実施形態のペット用吸収性シートの一例を示す平面図である。
【図４】図３のIV−IV断面の一例を示す図である。
【図５】第３実施形態のペット用吸収性シートの一例を示す平面図である。
【図６】図５のVI−VI断面の一例を示す図である。
【図７】変形例１のペット用吸収性シートのｐＨ判別部の断面の一例を示す図である。
【図８】変形例２のペット用吸収性シートのｐＨ判別部の断面の一例を示す図である。
【発明を実施するための形態】
【００１７】
以下、図面を参照しつつ、本発明の実施形態であるペット用吸収性シートを詳細に説明する。但し、発明の範囲は、図示例に限定されない。
【００１８】
（第１実施形態）
本発明の第１実施形態のペット用吸収性シートについて、図１及び図２に基づいて説明する。
【００１９】
ペット用吸収性シート１００、図１に示すように、略長方形の形状となっており、例えば、ペット用トイレの床面に敷いて使用され、ペットにより排泄された排泄物の水分を表面からシート内に吸収する。また、ペット用吸収性シート１００にはｐＨインクでｐＨ判別部１が形成されている。
【００２０】
ペット用吸収性シート１００は、尿等の液体を速やかに透過させる透液性の表面シート、表面シートの裏面側に配置される不透液性の裏面シート、これら表面シートと裏面シートとの間に介装される吸収体等を備えて構成されている。
【００２１】
表面シートは、有孔又は無孔の不織布や、多孔性プラスチックシート等により形成されている。不織布を構成する素材繊維としては、ポリエチレン又はポリプロピレン等のオレフィン系、ポリエステル系、ポリアミド系等の合成繊維の他、レーヨンやキュプラ等の再生繊維、綿等の天然繊維を用いることができる。また、不織布を製造する方法としては、公知の方法を適宜用いることができ、例えば、スパンレース法、スパンボンド法、サーマルボンド法、メルトブロー法、ニードルパンチ法、又はこれらを組み合わせた方法が挙げられる。
表面シートに多数の透孔を形成した場合には、尿等の液体がより速やかに吸収されるようになり、ドライタッチ性に優れたものとなる。
【００２２】
裏面シートは、不透液性の素材であれば、特に限定されるものではないが、例えば、ポリエチレンやポリプロピレン等のオレフィン系樹脂等からなるプラスチックフィルムや、不織布の表面にプラスチックフィルムを設けたラミネート不織布、プラスチックフィルムに不織布等を重ねて接合した積層シート等を用いることができる。また、熱や圧力をかけることで繊維の空隙を小さくしたり、高吸水性樹脂又は疎水性樹脂や撥水剤を塗布したりして、プラスチックフィルムを用いずに不透液性としたシートを裏面シートとして用いることができる。
【００２３】
ペット用吸収性シート１００の周縁において、表面シートと裏面シートとは、ホットメルト接着剤、ヒートシール、超音波シール等により貼り合わされている。
【００２４】
吸収体は、尿等の水様成分を吸収するものであり、例えば、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。また、繊維集合体に、高吸水性樹脂（ＳＡＰ；Super Absorbent Polymer）を組み合わせて吸収体を構成することもできる。
【００２５】
高吸水性樹脂としては、カルボキシメチルセルロース、ポリアクリル酸及びその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨潤性ポリマーを部分架橋したもの、又はイソブチレンとマレイン酸との共重合体等が好適に用いられる。
さらに、消臭機能を持たせるため、吸収体に消臭剤を入れてもよい。消臭剤としては、例えば、活性炭や天然鉱物（例えば、ベンナイト、カオリナイト、カネマイト等）、合成無機物（ゼオライト、アモルファスシリカ等）を用いることができる。
【００２６】
図２に示すように、パルプとポリマーを含む吸収体２の上面及び下面は、クレープ紙３及び４で包まれており、表面シート７側のクレープ紙３上に尿によって溶解する水溶性被膜５が形成され、当該水溶性被膜５の上にｐＨインクでｐＨ判別部６が形成される。
また、図２において、水溶性被膜５とｐＨインクで形成されるｐＨ判別部６とを同一形状（例えば、図１中のｐＨ判別部１のような形状）にする。
【００２７】
ここで、ペットの排尿時における尿のｐＨを判別する過程を説明する。ペット用吸収性シートにペットが排尿すると、排泄された尿は表面シート７及びクレープ紙３を透過して吸収体２で吸収される。
この時、クレープ紙３上に形成された水溶性被膜５は、浸透してきた尿によって溶解して、ｐＨインクは、浸透してきた尿やクレープ紙３と接触して、排泄された尿のｐＨに応じて変色することになる。
【００２８】
一方、ペット用吸収性シートの製造時からペットの排尿時までの間では、ｐＨインクは、水溶性被膜５を介してクレープ紙３に接しているため、クレープ紙３のｐＨの影響を受けることがない。
特に、ｐＨ判別部６は吸収体２の外包体であるクレープ紙３にｐＨインクで形成するのが最も好適である。
【００２９】
ｐＨインクで形成されたｐＨ判別部６とシート体であるクレープ紙３との間に、尿によって溶解する水溶性被膜５を形成することにより、ｐＨインクが直接クレープ紙３に触れることがないので、シート体であるクレープ紙３のｐＨの影響を受けることなく、形成後もｐＨインクの色を所望の色にすることができる。
【００３０】
また、図２に示すように、水溶性被膜５とｐＨインクで形成されるｐＨ判別部６とを同一形状（例えば、図１中のｐＨ判別部１のような形状）とすることにより、水溶性被膜を形成する面積を最小限に抑えることが可能になる。
【００３１】
（実施例）
以下に、これまで説明した第１実施形態のペット用吸収性シートの効果を、水溶性被膜及びｐＨインクの成分比率、並びに、印刷条件の実施例を用いて説明する。
水溶性被膜は、例えば、ＰＶＡ（ポリビニルアルコール）樹脂（或いは、澱粉）…５％、メタノール…４７．５％、及び、水…４７．５％の成分比率のインク形態にて印刷し、乾燥によりＰＶＡを薄く被膜させたものである。
また、ｐＨインクは、例えば、ｐＨ指示薬（ＢＴＢ（ブロモチモールブルー））…１％、アクリル樹脂…１０％、シリカ…２％、ｐＨ調整剤…１．３％、イソプロピルアルコール…８５．７％の成分比率である。（但し、ＢＴＢは酸性で黄色、中性で緑色、アルカリ性で青色と変色するように初期のｐＨインク色を緑色となるように調製されているものとする。）
さらに、図２に示すような断面構造において、印刷条件として、例えば、クレープ紙（目付１６ｇｓｍ、ｐＨ６．３）にグラビア印刷（版深度３０μｍ）で印刷した。
【００３２】
このような実施例において、印刷後のｐＨインクの初期色は、水溶性被膜がないと「黄色」となり、水溶性被膜があると「緑色」となるので、シート体とｐＨインクとの間に水溶性被膜を介することによる効果が明らかである。
【００３３】
（第２実施形態）
本発明の第２実施形態のペット用吸収性シートについて、図３及び図４に基づいて説明する。
【００３４】
ペット用吸収性シート１０１、図３に示すように、略長方形の形状となっており、例えば、ペット用トイレの床面に敷いて使用され、ペットにより排泄された排泄物の水分を表面からシート内に吸収する。また、ペット用吸収性シート１０１にはｐＨインクでｐＨ判別部９が形成されている。
【００３５】
図４に示すように、パルプとポリマーを含む吸収体１０の上面及び下面は、クレープ紙１１及び１２で包まれており、表面シート１３上に尿によって溶解する水溶性被膜１５が形成され、当該水溶性被膜１５の上にｐＨインクでｐＨ判別部１６が形成される。
【００３６】
ここで、ペットの排尿時における尿のｐＨを判別する過程を説明する。ペット用吸収性シートにペットが排尿すると、排泄された尿は表面シート１３及びクレープ紙１１を透過して吸収体１０で吸収される。
この時、表面シート１３上に形成された水溶性被膜１５は、表面シート１３表面に流れた尿によって溶解して、ｐＨインクは、尿や表面シート１３と接触して、排泄された尿のｐＨに応じて変色することになる。
【００３７】
一方、ペット用吸収性シートの製造時からペットの排尿時までの間では、ｐＨインクは、水溶性被膜１５を介して表面シート１３に接しているため、表面シート１３のｐＨの影響を受けることがない。
特に、表面シート１３は、不織布やメッシュシートであってもポリエチレン、ポリプロピレン、ポリエチレンテレフタラート等の樹脂であるため疎水性であり、透液性を付加するため親水化剤を添加、若しくは、コーティング等の処理を施している。
このような、親水化剤とｐＨインクが反応してしまうことを避けるためにも、ｐＨインクで形成されたｐＨ判別部１６と表面シート１３との間に、水溶性被膜１５を形成することは好ましい。
【００３８】
ｐＨインクで形成されたｐＨ判別部１６と表面シート１３との間に、尿によって溶解する水溶性被膜１５を形成することにより、ｐＨインクが直接表面シート１３に触れることがないので、表面シート１３のｐＨの影響を受けることなく、形成後もｐＨインクの色を所望の色にすることができる。
また、図４に示すように、水溶性被膜１５とｐＨインクで形成されるｐＨ判別部１６とを同一形状（例えば、図３中のｐＨ判別部９のような形状）とすることにより、水溶性被膜を形成する面積を最小限に抑えることが可能になる。
【００３９】
（第３実施形態）
本発明の第３実施形態のペット用吸収性シートについて、図５及び図６に基づいて説明する。
【００４０】
ペット用吸収性シート１０２、図５に示すように、略長方形の形状となっており、例えば、ペット用トイレの床面に敷いて使用され、ペットにより排泄された排泄物の水分を表面からシート内に吸収する。また、ペット用吸収性シート１０２にはｐＨインクでｐＨ判別部１７が形成されている。
【００４１】
図６に示すように、パルプとポリマーを含む吸収体１８の上面及び下面は、クレープ紙１９及び２０で包まれており、また、クレープ紙１９と表面シート２１との間に配置される液移送シート２３（表面シートと同じでも良いし、異なっていても良い。透液性のシートであれば良い）上に尿によって溶解する水溶性被膜２４が形成され、当該水溶性被膜２４の上にｐＨインクでｐＨ判別部２５が形成される。
【００４２】
ここで、ペットの排尿時における尿のｐＨを判別する過程を説明する。ペット用吸収性シートにペットが排尿すると、排泄された尿は表面シート２１、液移送シート２３及びクレープ紙１９を透過して吸収体１８で吸収される。
この時、液移送シート２３上に形成された水溶性被膜２４は、液移送シート２３表面に流れた尿によって溶解して、ｐＨインクは、尿や液移送シート２３と接触して、排泄された尿のｐＨに応じて変色することになる。
【００４３】
一方、ペット用吸収性シートの製造時からペットの排尿時までの間では、ｐＨインクは、水溶性被膜２４を介して液移送シート２３に接しているため、液移送シート２３のｐＨの影響を受けることがない。
【００４４】
ｐＨインクで形成されたｐＨ判別部２５と液移送シート２３との間に、尿によって溶解する水溶性被膜２４を形成することにより、ｐＨインクが直接液移送シート２３に触れることがないので、液移送シート２３のｐＨの影響を受けることなく、形成後もｐＨインクの色を所望の色にすることができる。
また、図６に示すように、水溶性被膜２４とｐＨインクで形成されるｐＨ判別部２５とを同一形状（例えば、図５中のｐＨ判別部１７のような形状）とすることにより、水溶性被膜を形成する面積を最小限に抑えることが可能になる。
【００４５】
（変形例１）
本発明の第１実施形態から第３実施形態の変形例１について、図７に基づいて説明する。
図７は変形例１のペット用吸収性シートのｐＨ判別部の断面の一例を示す図であり、ペット用吸収性シートのｐＨ判別部の断面は、シート体２６の全表面に尿によって溶解する水溶性被膜２７が形成され、当該水溶性被膜２７の上の一部分にｐＨインクでｐＨ判別部２８が形成される構造になっている。
但し、図７において、水溶性被膜２７は、ｐＨインクで形成されたｐＨ判別部２８と同一形状（例えば、図１、図３及び図５中のｐＨ判別部１、９及び１７のような形状）ではなく、シート体２６の全表面に形成される。
【００４６】
特に、図７に示す変形例１では、例えば、形成過程においてｐＨインクで形成されるｐＨ判別部２８が通常の形成位置からずれた場合であっても、ｐＨインクとシート体２６との間には、水溶性被膜２７が介在することになるので、ｐＨインクは、シート体２６のｐＨの影響を受けることはない。
【００４７】
（変形例２）
本発明の第１実施形態から第３実施形態の変形例２について、図８に基づいて説明する。
図８は変形例２のペット用吸収性シートのｐＨ判別部の断面の一例を示す図であり、ペット用吸収性シートのｐＨ判別部の断面は、シート体２９の表面の一部分に尿によって溶解する水溶性被膜３０が形成され、当該水溶性被膜３０の上の一部分にｐＨインクでｐＨ判別部３１が形成される構造になっている。
但し、図８において、水溶性被膜３０は、ｐＨインクで形成されたｐＨ判別部３１と同一形状（例えば、図１、図３及び図５中のｐＨ判別部１、９及び１７のような形状）ではなく、少なくともｐＨインクで形成されるｐＨ判別部３１の形状を包含する形状、言い換えれば、水溶性被膜３０の面積がｐＨ判別部３１の面積よりも大きく、且つ、ｐＨ判別部３１が水溶性被膜３０の上に形成されれば良い。
【００４８】
特に、水溶性被膜３０を、少なくともｐＨインクで形成されるｐＨ判別部３１の形状を包含する形状とすることにより、水溶性被膜３０をシート体２９の全表面に形成する場合（図７に示す変形例１）と比較して、水溶性被膜を形成する面積を抑えることが可能になる。
【００４９】
また、変形例１及び変形例２も本発明の第１実施形態と同様に、図７及び図８に示すような断面構造において、クレープ紙上の全表面等に形成した水溶性被膜を介してそれぞれｐＨインクでｐＨ判別部を形成することにより、クレープ紙のｐＨの影響を受けることを防止できる。
【００５０】
また、変形例１及び変形例２も本発明の第２実施形態と同様に、図７及び図８に示すような断面構造において、表面シート上の全表面等に形成した水溶性被膜を介してそれぞれｐＨインクでｐＨ判別部を形成することにより、表面シートのｐＨの影響を受けることを防止できる。
【００５１】
また、変形例１及び変形例２も本発明の第３実施形態と同様に、図７及び図８に示すような断面構造において、表面シート上の全表面等に形成した水溶性被膜を介してそれぞれｐＨインクでｐＨ判別部を形成することにより、表面シートのｐＨの影響を受けることを防止できる。
【符号の説明】
【００５２】
１，６，９，１６，１７，２５，２８，３１  ｐＨ判別部
２，１０，１８  吸収体
３，４，１１，１２，１９，２０  クレープ紙
５，１５，２４，２７，３０  水溶性被膜
７，１３，２１  表面シート
８，１４，２２  裏面シート
２６，２９  シート体
２３  液移送シート
１００，１０１，１０２  ペット用吸水性シート
【図１】
0005876324.tif 000002
【図２】
0005876324.tif 000003
【図３】
0005876324.tif 000004
【図４】
0005876324.tif 000005
【図５】
0005876324.tif 000006
【図６】
0005876324.tif 000007
【図７】
0005876324.tif 000008
【図８】
0005876324.tif 000009